【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
映像信号を記録するデータ処理装置において、
前記映像信号を入力する入力部と、
前記入力部に入力され映像信号の解像度に応じて周波数を切り替えたタイミングパルスを生成して、前記映像信号に映像処理を施す映像処理部に供給する入力タイミングパルス生成手段と、
前記処理部により処理が施された映像信号を記録媒体に記録する記録部と
を備えるデータ処理装置。
【請求項２】
請求項１に記載のデータ処理装置において、
前記入力部は、入力した映像信号を圧縮する圧縮回路として、映像信号の複数の解像度にそれぞれ対応した圧縮方式の複数の圧縮回路を有するとともに、前記複数の圧縮回路のうち入力する映像信号の解像度に対応した圧縮回路で映像信号を圧縮させる制御手段を有しており、
前記入力タイミングパルス生成手段は、前記圧縮回路にタイミングパルスを供給する
ことを特徴とするデータ処理装置。
【請求項３】
請求項１に記載のデータ処理装置において、
前記入力部は、映像信号に多重化されている音声信号を処理する回路を有しており、
前記入力タイミングパルス生成手段は、前記音声信号に応じた周波数のタイミングパルスをさらに生成して該回路に供給する
ことを特徴とするデータ処理装置。
【請求項４】
請求項１に記載のデータ処理装置において、
前記入力部は、入力した映像信号に同期したクロックを抽出するクロック抽出手段を有しており、
前記入力タイミングパルス生成手段は、
前記映像記録再生装置に供給されるリファレンスクロックの周波数を、前記入力部に入力する映像信号の解像度に応じて逓倍または分周する手段と、
前記逓倍または分周された前記リファレンスクロックを用いて前記クロック抽出手段で抽出されたクロックから前記タイミングパルスを生成する手段と
を有することを特徴とするデータ処理装置。
【請求項５】
請求項４に記載のデータ処理装置において、
前記入力タイミングパルス生成手段及び前記クロック抽出手段の少なくとも一部の構成要素がプログラマブル・ロジック・デバイスで構成されており、
前記入力部に入力する映像信号の解像度に応じて前記プログラマブル・ロジック・デバイスをプログラミングして、前記入力タイミングパルス生成手段と前記クロック抽出手段の接続関係を切り替える
ことを特徴とするデータ処理装置。
【請求項６】
請求項１に記載のデータ処理装置において、
前記記録媒体に記録された映像信号を再生する再生部と、
前記再生部で再生された映像信号を出力する出力部とを備え、
前記出力部は、
前記出力部内において映像信号に処理を施す回路に、前記再生部から再生される映像信号の解像度に応じて周波数を切り替えたタイミングパルスを生成して供給する出力タイミングパルス生成手段
を備えたことを特徴とするデータ処理装置。
【請求項７】
請求項６に記載のデータ処理装置において、
前記出力部は、前記記録部から再生された圧縮映像データを伸張する伸張回路として、映像信号の複数の解像度にそれぞれ対応した圧縮方式の複数の伸張回路を有するとともに、前記複数の伸張回路のうち出力する映像信号の解像度に対応した伸張回路で圧縮映像データを伸張させる制御手段を有しており、
前記出力用タイミングパルス生成手段は、前記伸張回路にタイミングパルスを供給する
ことを特徴とするデータ処理装置。
【請求項８】
請求項６に記載のデータ処理装置において、
前記出力部は、前記記録部から再生された音声信号を処理する回路を有しており、
前記出力タイミングパルス生成手段は、前記音声信号に応じた周波数のタイミングパルスをさらに生成して該回路に供給する
ことを特徴とするデータ処理装置。
【請求項９】
請求項６に記載のデータ処理装置において、
前記出力用タイミングパルス生成手段は、
前記記録部から再生される映像信号の解像度に応じて、前記映像記録再生装置に供給されるリファレンスクロックの周波数を逓倍または分周する手段と、
前記逓倍または分周されたリファレンスクロックから前記タイミングパルスを生成する手段と
を有することを特徴とするデータ処理装置。
【請求項１０】
請求項９に記載のデータ処理装置において、
前記出力タイミングパルス生成手段の少なくとも一部の構成要素がプログラマブル・ロジック・デバイスで構成されている
ことを特徴とするデータ処理装置。
【請求項１１】
映像信号を記録するデータ処理方法において、
入力された映像信号の解像度に応じて周波数を切り替えたタイミングパルスを生成して、前記映像信号に映像処理を施す映像処理部に供給し、
前記映像処理部により処理が施された映像信号を記録媒体に記録する
ことを特徴とするデータ処理方法。
【請求項１２】
映像信号を記録媒体より再生するデータ処理装置において、
前記記録媒体に記録された映像信号を再生する再生部と、
前記再生部で再生された映像信号を出力する出力部とを備え、
前記出力部は、
前記出力部内において映像信号に処理を施す回路に、前記再生部から再生される映像信号の解像度に応じて周波数を切り替えたタイミングパルスを生成して供給する出力タイミングパルス生成手段を備えた
ことを特徴とするデータ処理装置。
【請求項１３】
映像信号を記録媒体より再生するデータ処理方法において、
前記記録媒体より再生された映像信号を出力する場合に、
前記再生された映像信号の解像度に応じて周波数を切り替えたタイミングパルスを生成し、前記再生された映像信号を処理する回路に供給する
ことを特徴とするデータ処理方法。
【手続補正２】
【補正対象書類名】明細書
【補正対象項目名】発明の名称
【補正方法】変更
【補正の内容】
【発明の名称】データ処理装置及びデータ処理方法
【手続補正３】
【補正対象書類名】明細書
【補正対象項目名】０００１
【補正方法】変更
【補正の内容】
【０００１】
本発明は、例えばＡＶサーバーに適用して好適なデータ処理装置及びデータ処理方法関する。
【手続補正４】
【補正対象書類名】明細書
【補正対象項目名】００１３
【補正方法】変更
【補正の内容】
【００１３】
本発明は、上述の点に鑑み、ＡＶサーバーのようなデータ処理装置において、映像信号の複数の解像度に任意に対応したフレキシブルなシステム構成を可能にすることを課題としてなされたものである。
【手続補正５】
【補正対象書類名】明細書
【補正対象項目名】００１４
【補正方法】変更
【補正の内容】
【００１４】
この課題を解決するために、本発明は、映像信号を記録するデータ処理装置において、
前記映像信号を入力する入力部と、前記入力部に入力され映像信号の解像度に応じて周波数を切り替えたタイミングパルスを生成して、前記映像信号に映像処理を施す映像処理部に供給する入力タイミングパルス生成手段と、前記処理部により処理が施された映像信号を記録媒体に記録する記録部とを備えたことを特徴とする。
【手続補正６】
【補正対象書類名】明細書
【補正対象項目名】００１５
【補正方法】変更
【補正の内容】
【００１５】
この装置では、１つの入力部内で、入力する映像信号の解像度に応じて周波数を切り替えたタイミングパルスが生成され、映像信号に処理を施す回路にそのタイミングパルスが供給される。
【手続補正７】
【補正対象書類名】明細書
【補正対象項目名】００１７
【補正方法】変更
【補正の内容】
【００１７】
この装置によれば、こうしたタイミングパルスの周波数の切り替えが１つの入力部内で行われる。これにより、１つの入力部を、複数の解像度の映像信号を入力するために共用することができる。したがって、入力する映像信号の複数の解像度に任意に対応したフレキシブルなシステム構成が可能になる。
【手続補正８】
【補正対象書類名】明細書
【補正対象項目名】００１８
【補正方法】変更
【補正の内容】
【００１８】
なお、この装置において、一例として、入力部に、入力した映像信号を圧縮する圧縮回路として、映像信号の複数の解像度にそれぞれ対応した圧縮方式の複数の圧縮回路を設けるとともに、これらの圧縮回路のうち入力する映像信号の解像度に対応した圧縮回路で映像信号を圧縮させる制御手段を設け、入力用タイミングパルス生成手段は、これらの圧縮回路にタイミングパルスを供給することが好適である。
【手続補正９】
【補正対象書類名】明細書
【補正対象項目名】００２０
【補正方法】変更
【補正の内容】
【００２０】
また、この装置において、一例として、入力部に、映像信号に多重化されている音声信号を処理する回路を設け、入力用タイミングパルス生成手段は、この音声信号に応じた周波数のタイミングパルスをさらに生成してその回路に供給することが好適である。
【手続補正１０】
【補正対象書類名】明細書
【補正対象項目名】００２２
【補正方法】変更
【補正の内容】
【００２２】
また、この装置において、一例として、入力部に、入力した映像信号に同期したクロックを抽出するクロック抽出手段を設け、入力用タイミングパルス生成手段を、映像記録再生装置に供給されるリファレンスクロックの周波数を、入力部に入力する映像信号の解像度に応じて逓倍または分周する手段と、この逓倍または分周されたリファレンスクロックを用いてこのクロック抽出手段で抽出されたクロックからタイミングパルスを生成する手段とを用いて構成することが好適である。
【手続補正１１】
【補正対象書類名】明細書
【補正対象項目名】００２５
【補正方法】変更
【補正の内容】
【００２５】
また、この装置において、一例として、出力部も、出力部内において映像信号に処理を施す回路に、記録部から再生される映像信号の解像度に応じて周波数を切り替えたタイミングパルスを生成して供給する出力用タイミングパルス生成手段を備えることが好適である。
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】